(57)【要約】【課題】車室内への送風空気を加熱する熱交換器に導入される送風空気が低温であっても十分な性能を発揮できる車両用空調装置を提供する。【解決手段】車室内への送風空気を発生させる送風機２５と、冷媒を吸入して吐出する圧縮機２１と、圧縮機２１から吐出された冷媒と熱媒体とを熱交換させて熱媒体を加熱する熱媒体加熱用熱交換器１５と、熱媒体加熱用熱交換器１５で加熱された熱媒体と送風空気とを熱交換させて送風空気を加熱する空気加熱用熱交換器１６と、熱媒体の温度Ｔｗ２が所定温度α未満であると判断される場合、熱媒体の温度Ｔｗ２が所定温度α以上であると判断される場合と比較して、熱媒体加熱用熱交換器１５を流れる送風空気の流量を減少させる空気流量制御手段４０ｅとを備える。【選択図】図１
2015163499.tif 000002
【特許請求の範囲】
【請求項１】
車室内への送風空気を発生させる送風機（２５）と、
冷媒を吸入して吐出する圧縮機（２１）と、
前記圧縮機（２１）から吐出された冷媒と熱媒体とを熱交換させて前記熱媒体を加熱する熱媒体加熱用熱交換器（１５）と、
前記熱媒体加熱用熱交換器（１５）で加熱された前記熱媒体と前記送風空気とを熱交換させて前記送風空気を加熱する空気加熱用熱交換器（１６）と、
前記熱媒体の温度（Ｔｗ２）が所定値（α）未満であると判断される場合、前記熱媒体の温度（Ｔｗ２）が前記所定値（α）以上であると判断される場合と比較して、前記空気加熱用熱交換器（１６）を流れる前記送風空気の流量を減少させる空気流量制御手段（４０ｅ）とを備えることを特徴とする車両用空調装置。
【請求項２】
冷媒を吸入して吐出する圧縮機（２１）と、
前記圧縮機（２１）から吐出された冷媒と熱媒体とを熱交換させて前記熱媒体を加熱する熱媒体加熱用熱交換器（１５）と、
前記熱媒体加熱用熱交換器（１５）で加熱された前記熱媒体と車室内へ流れる空気とを熱交換させて前記空気を加熱する空気加熱用熱交換器（１６）と、
前記空気加熱用熱交換器（１６）を流れる前記空気の流量を制御する空気流量制御手段（２５、３５、４０ｅ、４０ｈ）とを備え、
前記熱媒体の温度（Ｔｗ２）が所定値（α）未満であると判断される場合、前記熱媒体の温度（Ｔｗ２）が前記所定値（α）以上であると判断される場合と比較して、前記空気加熱用熱交換器（１６）を流れる前記空気の流量を前記空気流量制御手段（２５、３５、４０ｅ、４０ｈ）で減少させることによって、前記冷媒の熱を利用して前記熱媒体の蓄熱量を増加させることを特徴とする車両用空調装置。
【請求項３】
前記空気流量制御手段（４０ｅ）は、前記熱媒体の温度（Ｔｗ２）が前記所定値（α）未満であると判断される場合、前記送風機（２５）を停止させ、前記熱媒体の温度（Ｔｗ２）が前記所定値（α）以上であると判断される場合、前記送風機（２５）を作動させる送風機制御手段であることを特徴とする請求項１または２に記載の車両用空調装置。
【請求項４】
前記熱媒体加熱用熱交換器（１５）は、前記冷媒の流れ方向と前記熱媒体の流れ方向とが対向する構造になっていることを特徴とする請求項１ないし３のいずれか１つに記載の車両用空調装置。
【請求項５】
前記熱媒体の温度（Ｔｗ２）が前記所定値（α）未満であると判断される場合、前記熱媒体の温度（Ｔｗ２）が前記所定値（α）以上であると判断される場合と比較して、前記熱媒体加熱用熱交換器（１５）を流れる前記熱媒体の流量を減少させる熱媒体流量制御手段（１１、１２、２６、２７、４０、５５、５６）とを備えることを特徴とする請求項１ないし４のいずれか１つに記載の車両用空調装置。
【請求項６】
前記熱媒体の温度（Ｔｗ２）が前記所定値（α）未満であると判断される場合、前記空気加熱用熱交換器（１６）を流れる前記熱媒体の流量を、前記熱媒体加熱用熱交換器（１５）を流れる前記熱媒体の流量よりも少なくさせる熱媒体流量制御手段（１１、１２、２６、２７、４０、５５、５６）とを備えることを特徴とする請求項１ないし４のいずれか１つに記載の車両用空調装置。
【請求項７】
前記熱媒体流量制御手段（１１、１２、２６、２７、４０、５５、５６）は、前記圧縮機（２１）から吐出された前記冷媒の温度（ＴＲ１）が第２所定値（β）以上であると判断される場合、前記圧縮機（２１）から吐出された前記冷媒の温度（ＴＲ１）が前記第２所定値（β）未満であると判断される場合と比較して、前記熱媒体加熱用熱交換器（１５）を流れる前記熱媒体の流量を多くさせることを特徴とする請求項５に記載の車両用空調装置。
【請求項８】
前記圧縮機（２１）および前記熱媒体加熱用熱交換器（１５）は、冷媒が外部から吸熱することなく循環するホットガスサイクルを構成していることを特徴とする請求項１ないし７のいずれか１つに記載の車両用空調装置。
【請求項９】
前記熱媒体は、エチレングリコール系の不凍液、水、または一定の温度以上に維持された空気であることを特徴とする請求項１ないし８のいずれか１つに記載の車両用空調装置。
【請求項１０】
前記空気流量制御手段（４０ｅ）は、前記熱媒体の温度（Ｔｗ２）が前記所定値（α）に近づくように、前記空気加熱用熱交換器（１６）を流れる前記送風空気の流量を制御することを特徴とする請求項１ないし９のいずれか１つに記載の車両用空調装置。
【請求項１１】
前記熱媒体の温度（Ｔｗ２）が前記所定値（α）に近づくように、前記空気加熱用熱交換器（１６）を流れる前記熱媒体の流量を制御する熱媒体流量制御手段（２６、２７、４０ｆ、４０ｇ、５５、５６）を備えることを特徴とする請求項１ないし４のいずれか１つに記載の車両用空調装置。
【請求項１２】
前記熱媒体の温度（Ｔｗ２）が前記所定値（α）に近づくように、前記圧縮機（２１）から吐出される前記冷媒の流量を制御する冷媒流量制御手段（４０ｃ）を備えることを特徴とする請求項１ないし４のいずれか１つに記載の車両用空調装置。
【請求項１３】
前記熱媒体流量制御手段は、前記熱媒体が前記空気加熱用熱交換器（１６）をバイパスして流れるバイパス流路（２６）と、前記バイパス流路（２６）を流れる前記熱媒体の流量を調整する流量調整弁（２７、５５、５６）とを有していることを特徴とする請求項５ないし７、１１に記載の車両用空調装置。
【請求項１４】
前記送風空気を加熱する空気加熱手段（８１、１００）と、
前記空気加熱手段（８１、１００）の作動を制御する空気加熱制御手段（４０ｉ）と、
前記流量調整弁（５５、５６）の作動を制御する流量調整弁制御手段（４０ｇ）とを備え、
前記熱媒体の温度（Ｔｗ２）が所定値（α）未満であると判断される場合、
前記流量調整弁制御手段（４０ｇ）は、前記熱媒体の温度（Ｔｗ２）が前記所定値（α）以上であると判断される場合と比較して、前記空気加熱用熱交換器（１６）を流れる前記熱媒体の流量を減少し、かつ前記バイパス流路（２６）を流れる前記熱媒体の流量が増加するように前記流量調整弁（５５、５６）の作動を制御し、
前記空気加熱制御手段（４０ｉ）は、前記送風空気が加熱されるように前記空気加熱手段（８１、１００）の作動を制御し、
前記空気流量制御手段（４０ｅ）は、前記熱媒体の温度（Ｔｗ２）が前記所定値（α）以上であると判断される場合と比較して、前記空気加熱手段（８１、１００）を流れる前記送風空気の流量を減少させることを特徴とする請求項１３に記載の車両用空調装置。
【請求項１５】
前記空気加熱手段は、通電されると発熱する電気ヒータ（８１）であることを特徴とする請求項１４に記載の車両用空調装置。
【請求項１６】
第２熱媒体を加熱する熱媒体加熱手段（７１）を備え、
前記空気加熱手段は、前記熱媒体加熱手段（７１）で加熱された前記第２熱媒体と前記送風空気とを熱交換させて前記送風空気を加熱する第２空気加熱用熱交換器（１００）であることを特徴とする請求項１４に記載の車両用空調装置。
【請求項１７】
前記所定値（α）を、少なくとも外気温度に基づいて算出する算出手段（４０）を備えることを特徴とする請求項１ないし１６のいずれか１つに記載の車両用空調装置。
【発明の詳細な説明】
【技術分野】
【０００１】
本発明は、車両に用いられる空調装置に関する。
【背景技術】
【０００２】
従来、特許文献１には、圧縮機から吐出された高温高圧の気相冷媒を、室内熱交換器で車室内への送風空気と熱交換させて車室内への送風空気を加熱する車両用空調装置が記載されている。
【０００３】
この従来技術では、室内熱交換器から流出した冷媒が吸熱することなく圧縮機に戻される、いわゆるホットガスサイクルを構成している。
【先行技術文献】
【特許文献】
【０００４】
【特許文献１】特許第３９６８８４１号公報
【発明の概要】
【発明が解決しようとする課題】
【０００５】
ホットガスサイクルは、サイクル高圧が高いほど良い性能が得られる。すなわち、サイクル高圧が高いと吸入密度が高くなって冷媒流量が増加し、ひいてはエンタルピ差が大きくなる。
【０００６】
しかるに、上記従来技術によると、冬期には室内熱交換器に導入される送風空気が低温になるので、低温の送風空気が室内熱交換器で冷媒と熱交換することとなる。そのため、サイクル高圧の上昇が抑制され、十分な性能を得ることができなくなる。
【０００７】
この問題は、ホットガスサイクルのみならず、室内熱交換器から流出した冷媒が吸熱した後に圧縮機に戻される、いわゆるヒートポンプサイクルにおいても同様に発生する。
【０００８】
本発明は上記点に鑑みて、車室内への送風空気を加熱する熱交換器に導入される送風空気が低温であっても十分な性能を発揮できる車両用空調装置を提供することを目的とする。
【課題を解決するための手段】
【０００９】
上記目的を達成するため、請求項１に記載の発明では、
車室内への送風空気を発生させる送風機（２５）と、
冷媒を吸入して吐出する圧縮機（２１）と、
圧縮機（２１）から吐出された冷媒と熱媒体とを熱交換させて熱媒体を加熱する熱媒体加熱用熱交換器（１５）と、
熱媒体加熱用熱交換器（１５）で加熱された熱媒体と送風空気とを熱交換させて送風空気を加熱する空気加熱用熱交換器（１６）と、
熱媒体の温度（Ｔｗ２）が所定値（α）未満であると判断される場合、熱媒体の温度（Ｔｗ２）が所定値（α）以上であると判断される場合と比較して、空気加熱用熱交換器（１６）を流れる送風空気の流量を減少させる空気流量制御手段（４０ｅ）とを備えることを特徴とする。
【００１０】
これによると、熱媒体の温度（Ｔｗ２）が所定値（α）未満であると判断される場合、空気加熱用熱交換器（１６）を流れる送風空気の風量を減少させるので、空気加熱用熱交換器（１６）における熱媒体と送風空気との熱交換が抑制され、熱媒体の温度（Ｔｗ２）が上昇する。
【００１１】
そのため、熱媒体加熱用熱交換器（１５）における冷媒圧力を上昇させることができるので、空気加熱用熱交換器（１６）に導入される送風空気が低温であっても、送風空気の温度の影響を小さくして十分な性能を発揮させることができる。
【００１２】
上記目的を達成するため、請求項２に記載の発明では、
冷媒を吸入して吐出する圧縮機（２１）と、
圧縮機（２１）から吐出された冷媒と熱媒体とを熱交換させて熱媒体を加熱する熱媒体加熱用熱交換器（１５）と、
熱媒体加熱用熱交換器（１５）で加熱された熱媒体と車室内へ流れる空気とを熱交換させて空気を加熱する空気加熱用熱交換器（１６）と、
空気加熱用熱交換器（１６）を流れる空気の流量を制御する空気流量制御手段（２５、３５、４０ｅ、４０ｈ）とを備え、
熱媒体の温度（Ｔｗ２）が所定値（α）未満であると判断される場合、熱媒体の温度（Ｔｗ２）が所定値（α）以上であると判断される場合と比較して、空気加熱用熱交換器（１６）を流れる空気の流量を空気流量制御手段（２５、３５、４０ｅ、４０ｈ）で減少させることによって、冷媒の熱を利用して熱媒体の蓄熱量を増加させることを特徴とする。
【００１３】
これによると、熱媒体の温度（Ｔｗ２）が所定値（α）未満であると判断される場合、空気加熱用熱交換器（１６）における熱媒体と空気との熱交換を抑制することによって、圧縮機（２１）から吐出された冷媒の熱を利用して熱媒体の蓄熱量を増加させるので、圧縮機（２１）から吐出された冷媒の温度を過度に上昇させることなく熱媒体の温度（Ｔｗ２）を上昇させて熱媒体加熱用熱交換器（１５）における冷媒圧力を上昇させることができる。
【００１４】
したがって、圧縮機（２１）から吐出された冷媒の温度が過度に上昇して圧縮機（２１）の効率が低下することを抑制できるので、冷凍サイクル（２０）の効率を向上でき、ひいては十分な性能を発揮できる。
【００１５】
なお、この欄および特許請求の範囲で記載した各手段の括弧内の符号は、後述する実施形態に記載の具体的手段との対応関係を示すものである。
【図面の簡単な説明】
【００１６】
【図１】第１実施形態における車両用空調装置の全体構成図である。
【図２】第１実施形態における車両用空調装置の制御装置が実行する制御処理を示すフローチャートである。
【図３】第１実施形態における車両用空調装置をホットガスサイクルにした場合のモリエル線図を示している。
【図４】第１実施形態における車両用空調装置の冷却水温度と加熱能力との関係を示すグラフである。
【図５】第２実施形態における車両用空調装置の全体構成図である。
【図６】第２実施形態における補助ヒータ等の構成図である。
【図７】第２実施形態における車両用空調装置の電気制御部を示すブロック図である。
【図８】第２実施形態における車両用空調装置の制御装置が実行する制御処理を示すフローチャートである。
【図９】第２実施形態における車両用空調装置の通常暖房モードの作動を示す全体構成図である。
【図１０】第２実施形態における車両用空調装置の制御装置がウォームアップ暖房モード時に実行する制御処理を示すフローチャートである。
【図１１】第２実施形態における車両用空調装置のヒータコアバイパスウォームアップ暖房モードの作動を示す全体構成図である。
【図１２】第２実施形態における車両用空調装置の廃熱利用ウォームアップ暖房モードの作動を示す全体構成図である。
【図１３】第２実施形態における車両用空調装置の制御処理において、補助ヒータ通過風量の算出に用いられる制御特性図である。
【図１４】第２実施形態における車両用空調装置の制御装置において、ブロワレベルの算出に用いられる制御特性図である。
【図１５】第３実施形態における車両用空調装置の全体構成図である。
【図１６】第４実施形態における冷却水加熱用熱交換器の模式図である。
【図１７】第５実施形態における車両用空調装置の制御装置が実行する制御処理を示すフローチャートである。
【図１８】第６実施形態における車両用空調装置の制御装置が実行する制御処理を示すフローチャートである。
【図１９】第７実施形態における車両用空調装置の制御装置が実行する制御処理を示すフローチャートである。
【発明を実施するための形態】
【００１７】
以下、実施形態について図に基づいて説明する。なお、以下の各実施形態相互において、互いに同一もしくは均等である部分には、図中、同一符号を付してある。
【００１８】
（第１実施形態）
以下、第１実施形態を図１〜図４に基づいて説明する。図１に示す車両用熱管理装置１０は、車両が備える各種機器や車室内を適切な温度に調整するために用いられる。本実施形態では、車両用熱管理装置１０を、エンジン（内燃機関）および走行用電動モータから車両走行用の駆動力を得るハイブリッド自動車に適用している。
【００１９】
本実施形態のハイブリッド自動車は、車両停車時に外部電源（商用電源）から供給された電力を、車両に搭載された電池（車載バッテリ）に充電可能なプラグインハイブリッド自動車として構成されている。電池としては、例えばリチウムイオン電池を用いることができる。
【００２０】
エンジンから出力される駆動力は、車両走行用として用いられるのみならず、発電機を作動させるためにも用いられる。そして、発電機にて発電された電力および外部電源から供給された電力を電池に蓄わえることができ、電池に蓄えられた電力は、走行用電動モータのみならず、車両用熱管理装置１０を構成する電動式構成機器をはじめとする各種車載機器に供給される。
【００２１】
車両用熱管理装置１０は、第１ポンプ１１、第２ポンプ１２、室外熱交換器１３、冷却水冷却用熱交換器１４、冷却水加熱用熱交換器１５およびヒータコア１６を備えている。
【００２２】
第１ポンプ１１および第２ポンプ１２は、冷却水（熱媒体）を吸入して吐出する電動ポンプである。冷却水は、熱媒体としての流体である。本実施形態では、冷却水として、少なくともエチレングリコール、ジメチルポリシロキサンもしくはナノ流体を含む液体、または不凍液体が用いられている。
【００２３】
室外熱交換器１３、冷却水冷却用熱交換器１４、冷却水加熱用熱交換器１５およびヒータコア１６は、冷却水が流通する冷却水流通機器（熱媒体流通機器）である。
【００２４】
室外熱交換器１３は、冷却水と外気（車室外空気）とを熱交換する冷却水外気熱交換器（熱媒体外気熱交換器）である。室外熱交換器１３は、車両の最前部に配置されている。室外熱交換器１３には、室外送風機１７によって外気が送風される。車両の走行時には室外熱交換器１３に走行風を当てることができるようになっている。
【００２５】
室外送風機１７は、室外熱交換器１３へ向けて外気を送風する送風手段である。室外送風機１７は、ファンを電動モータにて駆動する電動送風機である。
【００２６】
室外熱交換器１３を流通する冷却水の温度が外気の温度よりも低い場合、室外熱交換器１３は、外気の熱を冷却水に吸熱させる吸熱器として機能する。室外熱交換器１３を流通する冷却水の温度が外気の温度よりも高い場合、室外熱交換器１３は、冷却水の熱を外気に放熱させる放熱器として機能する。
【００２７】
冷却水冷却用熱交換器１４は、冷凍サイクル２０の低圧側冷媒と冷却水とを熱交換させることによって冷却水を冷却する低圧側熱交換器（熱媒体冷却用熱交換器）である。冷却水冷却用熱交換器１４では冷却水を外気の温度よりも低温まで冷却することができる。
【００２８】
冷却水加熱用熱交換器１５は、冷凍サイクル２０の高圧側冷媒と冷却水とを熱交換させることによって冷却水を加熱する高圧側熱交換器（熱媒体加熱用熱交換器）である。
【００２９】
冷凍サイクル２０は、圧縮機２１、冷却水加熱用熱交換器１５、膨張弁２２および冷却水冷却用熱交換器１４を備える蒸気圧縮式冷凍機である。本実施形態の冷凍サイクル２０では、冷媒としてフロン系冷媒を用いており、高圧側冷媒圧力が冷媒の臨界圧力を超えない亜臨界冷凍サイクルを構成している。
【００３０】
圧縮機２１は、電池から供給される電力によって駆動される電動圧縮機、またはベルトによって駆動される可変容量圧縮機であり、冷凍サイクル２０の冷媒を吸入して圧縮して吐出する。冷却水加熱用熱交換器１５は、圧縮機２１から吐出された高圧側冷媒と冷却水とを熱交換させることによって高圧側冷媒を凝縮させる凝縮器である。
【００３１】
膨張弁２２は、冷却水加熱用熱交換器１５から流出した液相冷媒を減圧膨張させる減圧手段である。冷却水冷却用熱交換器１４は、膨張弁２２で減圧膨張された低圧冷媒と冷却水とを熱交換させることによって低圧冷媒を蒸発させる蒸発器である。冷却水冷却用熱交換器１４で蒸発した気相冷媒は圧縮機２１に吸入されて圧縮される。
【００３２】
ヒータコア１６は、冷却水と車室内への送風空気とを熱交換させて車室内への送風空気を加熱する空気加熱用熱交換器（熱媒体空気熱交換器）である。ヒータコア１６では、冷却水が顕熱変化にて送風空気に放熱する。すなわち、ヒータコア１６では、冷却水が送風空気に放熱しても冷却水が液相のままで相変化しない。ヒータコア１６には、室内送風機２５によって内気、外気、または内気と外気との混合空気が送風される。
【００３３】
室内送風機２５は、車室内へ向けて送風される送風空気を発生する送風手段である。室内送風機２５は、遠心多翼ファン（シロッコファン）を電動モータ（ブロワモータ）にて駆動する電動送風機である。
【００３４】
第１ポンプ１１、冷却水冷却用熱交換器１４および室外熱交換器１３は、第１冷却水回路Ｃ１（第１熱媒体回路）に配置されている。第１冷却水回路Ｃ１は、冷却水（第１熱媒体）が第１ポンプ１１→冷却水冷却用熱交換器１４→室外熱交換器１３→第１ポンプ１１の順に循環するように構成されている。
【００３５】
第２ポンプ１２、冷却水加熱用熱交換器１５およびヒータコア１６は、第２冷却水回路Ｃ２（第２熱媒体回路）に配置されている。第２冷却水回路Ｃ２は、冷却水（第２熱媒体）が第２ポンプ１２→ヒータコア１６→冷却水加熱用熱交換器１５→第２ポンプ１２の順に循環するように構成されている。
【００３６】
第２冷却水回路Ｃ２には、バイパス流路２６および流量調整弁２７が設けられている。バイパス流路２６は、冷却水がヒータコア１６をバイパスして流れる流路である。流量調整弁２７は、バイパス流路２６を流れる冷却水の流量を調整する電磁弁である。
【００３７】
ヒータコア１６および室内送風機２５は、車両用空調装置の室内空調ユニット３０のケーシング３１に収容されている。室内空調ユニット３０は、車室内最前部の計器盤（インストルメントパネル）の内側に配置されている。ケーシング３１は、室内空調ユニット３０の外殻を形成している。
【００３８】
ケーシング３１は、車室内に送風される車室内送風空気の空気通路を形成しており、ある程度の弾性を有し、強度的にも優れた樹脂（例えば、ポリプロピレン）にて成形されている。
【００３９】
ケーシング３１内の車室内送風空気流れ最上流側には、内気導入口および外気導入口が形成されている。内気導入口は、ケーシング３１内に内気を導入させる内気導入手段である。外気導入口は、ケーシング３１内に外気を導入させる外気導入手段である。
【００４０】
ケーシング３１の空気流れ最下流部には、車室内へ空調風を吹き出すための開口部が形成されている。開口部の空気流れ下流側は、空気通路を形成するダクトを介して、車室内に設けられた吹出口（図示せず）に接続されている。
【００４１】
制御装置４０は、ＣＰＵ、ＲＯＭおよびＲＡＭ等を含む周知のマイクロコンピュータとその周辺回路から構成され、そのＲＯＭ内に記憶された空調制御プログラムに基づいて各種演算、処理を行い、出力側に接続された第１ポンプ１１、第２ポンプ１２、圧縮機２１、室外送風機１７、室内送風機２５、流量調整弁２７等の作動を制御する制御手段である。
【００４２】
制御装置４０は、その出力側に接続された各種制御対象機器を制御する制御手段が一体に構成されたものであるが、それぞれの制御対象機器の作動を制御する構成（ハードウェアおよびソフトウェア）が、それぞれの制御対象機器の作動を制御する制御手段を構成している。
【００４３】
制御装置４０のうち第１ポンプ１１の作動を制御する構成（ハードウェアおよびソフトウェア）は、第１冷却水流量制御手段４０ａ（第１熱媒体流量制御手段）を構成している。第１冷却水流量制御手段４０ａは、制御装置４０に対して別体で構成されていてもよい。
【００４４】
制御装置４０のうち第２ポンプ１２の作動を制御する構成（ハードウェアおよびソフトウェア）は、第２冷却水流量制御手段４０ｂ（第２熱媒体流量制御手段）を構成している。第２冷却水流量制御手段４０ｂは、制御装置４０に対して別体で構成されていてもよい。
【００４５】
制御装置４０のうち圧縮機２１の作動を制御する構成（ハードウェアおよびソフトウェア）は、冷媒流量制御手段４０ｃを構成している。冷媒流量制御手段４０ｃは、制御装置４０に対して別体で構成されていてもよい。
【００４６】
制御装置４０のうち室外送風機１７の作動を制御する構成（ハードウェアおよびソフトウェア）は、空気流量制御手段４０ｄを構成している。空気流量制御手段４０ｄは、制御装置４０に対して別体で構成されていてもよい。
【００４７】
制御装置４０のうち室内送風機２５の作動を制御する構成（ハードウェアおよびソフトウェア）は、送風機制御手段４０ｅを構成している。送風機制御手段４０ｅは、ヒータコア１６を流れる送風空気の流量を制御する空気流量制御手段である。空気流量制御手段４０ｅは、制御装置４０に対して別体で構成されていてもよい。
【００４８】
制御装置４０のうち流量調整弁２７の作動を制御する構成（ハードウェアおよびソフトウェア）は、流量調整弁制御手段４０ｆを構成している。流量調整弁制御手段４０ｆは、バイパス流路２６および流量調整弁２７とともに、ヒータコア１６を流れる冷却水の流量を制御する冷却水流量制御手段（熱媒体流量制御手段）を構成している。流量調整弁制御手段４０ｆは、制御装置４０に対して別体で構成されていてもよい。
【００４９】
制御装置４０の入力側には、内気センサ４１、外気センサ４２、日射センサ４３、冷却水温度センサ４６等のセンサ群の検出信号が入力される。
【００５０】
内気センサ４１は、内気温（車室内温度）を検出する検出手段（内気温度検出手段）である。外気センサ４２は、外気温（車室外温度）を検出する検出手段（外気温度検出手段）である。日射センサ４３は、車室内の日射量を検出する検出手段(日射量検出手段）である。
【００５１】
冷却水温度センサ４６は、第２冷却水回路Ｃ２の冷却水温度を検出する検出手段(熱媒体温度検出手段）である。冷却水温度センサ４６は、第２冷却水回路Ｃ２の任意の場所に設置すればよい。
【００５２】
なお、内気温、外気温、日射量、第２冷却水回路Ｃ２の冷却水温度を、種々の物理量の検出値に基づいて推定するようにしてもよい。
【００５３】
制御装置４０の入力側には、空調操作パネル５０の操作部材からの種々な空調操作信号が入力される。空調操作パネル５０は、車室内の計器盤付近に配置されている。空調操作パネル５０には、車室内の設定温度を設定する温度設定スイッチ、圧縮機２１の作動・停止を切り替えるエアコンスイッチ、室内送風機２５の風量を切り替える風量切替スイッチ等が設けられている。
【００５４】
次に、上記構成における作動を説明する。制御装置４０が第１ポンプ１１、第２ポンプ１２および圧縮機２１を作動させると、冷凍サイクル２０に冷媒が循環し、第１冷却水回路Ｃ１に冷却水が循環し、第２冷却水回路Ｃ２に冷却水が循環する。
【００５５】
冷却水冷却用熱交換器１４では、冷凍サイクル２０の冷媒が第１冷却水回路Ｃ１の冷却水から吸熱するので、第１冷却水回路Ｃ１の冷却水が冷却される。冷却水冷却用熱交換器１４で吸熱した冷媒は、冷却水加熱用熱交換器１５で第２冷却水回路Ｃ２の冷却水へ放熱する。これにより、第２冷却水回路Ｃ２の冷却水が加熱される。冷却水加熱用熱交換器１５で加熱された第２冷却水回路Ｃ２の冷却水は、ヒータコア１６で車室内への送風空気に放熱する。これにより、車室内への送風空気が加熱される。
【００５６】
冷却水冷却用熱交換器１４で冷却された第１冷却水回路Ｃ１の冷却水は、室外熱交換器１３で外気から吸熱する。
【００５７】
室外熱交換器１３で吸熱した外気の熱は、冷凍サイクル２０の冷媒を介して冷却水冷却用熱交換器１４で第２冷却水回路Ｃ２の冷却水に放熱されるので、外気から吸熱するヒートポンプ運転を実現できる。
【００５８】
ヒートポンプ運転時の作動に対して第１ポンプ１１および室外送風機１７の少なくとも一方を停止させた場合、外気から吸熱しないホットガスサイクルにすることができる。
【００５９】
制御装置４０は、図２のフローチャートに示す制御処理を実行する。ステップＳ１００では、第２冷却水回路Ｃ２の冷却水の温度Ｔｗ２が所定値αを下回っているか否かを判定する。所定値αは、予め制御装置４０に記憶されている固定値である。制御装置４０は、所定値αを少なくとも外気温度に基づいて算出してもよい。換言すれば、制御装置４０は、所定値αを算出する算出手段を構成していてもよい。
【００６０】
例えば、所定値αを、目標吹出温度ＴＡＯと同じ値にしてもよい。目標吹出温度ＴＡＯは、以下の数式により算出される。
【００６１】
ＴＡＯ＝Ｋｓｅｔ×Ｔｓｅｔ−Ｋｒ×Ｔｒ−Ｋａｍ×Ｔａｍ−Ｋｓ×Ｔｓ＋Ｃ
Ｔｓｅｔは車室内温度設定スイッチによって設定された車室内設定温度、Ｔｒは内気センサ４１によって検出された車室内温度（内気温）、Ｔａｍは外気センサ４２によって検出された外気温、Ｔｓは日射センサ４３によって検出された日射量である。Ｋｓｅｔ、Ｋｒ、Ｋａｍ、Ｋｓは制御ゲインであり、Ｃは補正用の定数である。
【００６２】
目標吹出温度ＴＡＯは、車室内を所望の温度に保つために車両用空調装置が生じさせる必要のある熱量に相当するもので、車両用空調装置に要求される空調熱負荷（冷房負荷および暖房負荷）として捉えることができる。すなわち、車両用空調装置に要求される冷房負荷が高い場合、目標吹出温度ＴＡＯは低温域になり、車両用空調装置に要求される暖房負荷が高い場合、目標吹出温度ＴＡＯは高温域になる。
【００６３】
ステップＳ１００において第２冷却水回路Ｃ２の冷却水の温度Ｔｗ２が所定値αを下回っていると判定した場合、ステップＳ１１０へ進み、室内送風機２５を停止させる。これにより、ヒータコア１６で冷却水と車室内への送風空気とが熱交換されないので、第２冷却水回路Ｃ２の冷却水の温度Ｔｗ２が上昇する。
【００６４】
ステップＳ１００において第２冷却水回路Ｃ２の冷却水の温度Ｔｗ２が所定値αを下回っていないと判定した場合、ステップＳ１２０へ進み、室内送風機２５を作動させる。これにより、ヒータコア１６で冷却水と車室内への送風空気とが熱交換されるので、車室内への送風空気が加熱されて暖房が行われる。
【００６５】
図３は、第１ポンプ１１および室外送風機１７の少なくとも一方を停止させてホットガスサイクルにした場合のモリエル線図を示している。図３は、第２冷却水回路Ｃ２の冷却水の温度Ｔｗ２が高いほど、サイクル高圧が上昇することを示している。
【００６６】
ホットガスサイクルは、サイクル高圧が高いほど良い性能が得られる。すなわち、サイクル高圧が高いと吸入密度が高くなって冷媒流量が増加し、ひいてはエンタルピ差が大きくなる。そのため、図４に示すように、第２冷却水回路Ｃ２の冷却水の温度Ｔｗ２が高いほど、高い加熱能力が得られる。
【００６７】
第１ポンプ１１および室外送風機１７を作動させてヒートポンプサイクルにした場合も、ホットガスサイクルにした場合と同様に、第２冷却水回路Ｃ２の冷却水の温度Ｔｗ２が高いほど、高い加熱能力が得られる。
【００６８】
制御装置４０は、第２冷却水回路Ｃ２の冷却水の温度Ｔｗ２が所定温度αに近づくように、ヒータコア１６を流れる送風空気の風量を制御するようにしてもよい。例えば、第２冷却水回路Ｃ２の冷却水の温度Ｔｗ２が所定温度αよりも低い場合、ヒータコア１６を流れる送風空気の風量を減少させ、第２冷却水回路Ｃ２の冷却水の温度Ｔｗ２が所定温度αよりも高い場合、ヒータコア１６を流れる送風空気の風量を増加させるようにすればよい。
【００６９】
ヒータコア１６を流れる送風空気の風量の増減は、室内送風機２５の送風能力（回転数）を制御することによって行うことができる。ヒータコア１６を流れる送風空気の風量の増減は、エアミックスドア（図示せず）の開度を制御することによっても行うことができる。
【００７０】
エアミックスドアは、ヒータコア１６を流れる送風空気の風量と、ヒータコア１６を迂回して流れる送風空気の風量との風量割合を調整する風量割合調整手段である。エアミックスドアは、ヒータコア１６を流れる送風空気の風量を制御する空気流量制御手段である。
【００７１】
制御装置４０は、第２冷却水回路Ｃ２の冷却水の温度Ｔｗ２が所定温度αに近づくように、ヒータコア１６を流れる冷却水の流量を制御するようにしてもよい。例えば、第２冷却水回路Ｃ２の冷却水の温度Ｔｗ２が所定温度αよりも低い場合、ヒータコア１６を流れる冷却水の流量を減少させ、第２冷却水回路Ｃ２の冷却水の温度Ｔｗ２が所定温度αよりも高い場合、ヒータコア１６を流れる冷却水の流量を増加させるようにすればよい。
【００７２】
ヒータコア１６を流れる冷却水の流量の増減は、流量制御弁２７の開度を制御を制御することによって行うことができる。ヒータコア１６を流れる冷却水の流量の増減は、第２ポンプ１２の冷却水吐出能力（回転数）を制御することによっても行うことができる。
【００７３】
本実施形態では、制御装置４０は、第２冷却水回路Ｃ２の冷却水の温度Ｔｗ２が所定温度α未満であると判断される場合、第２冷却水回路Ｃ２の冷却水の温度Ｔｗ２が所定温度α以上であると判断される場合と比較して、ヒータコア１６を流れる送風空気の流量を減少させる。
【００７４】
これによると、第２冷却水回路Ｃ２の冷却水の温度Ｔｗ２が所定温度α未満であると判断される場合、ヒータコア１６を流れる送風空気の風量を減少させるので、ヒータコア１６における冷却水と送風空気との熱交換が抑制され、冷却水の温度Ｔｗ２が上昇する。そのため、冷却水加熱用熱交換器１５における冷媒圧力を上昇させることができるので、送風空気の温度の影響を小さくして十分な性能を発揮させることができる。
【００７５】
また、ヒータコア１６における冷却水と送風空気との熱交換が抑制されるので、圧縮機２１から吐出された冷媒の熱を利用して第２冷却水回路Ｃ２の冷却水の蓄熱量を増加させることができる。
【００７６】
そのため、圧縮機２１から吐出された冷媒の温度を過度に上昇させることなく冷却水の温度Ｔｗ２を上昇させて冷却水加熱用熱交換器１５における冷媒圧力を上昇させることができる。
【００７７】
したがって、圧縮機２１から吐出された冷媒の温度が過度に上昇して圧縮機２１の効率が低下することを抑制できるので、冷凍サイクル２０の効率を向上できる。その結果、十分な性能を発揮できるので、暖房効率を向上できる。
【００７８】
具体的には、制御装置４０は、冷却水の温度Ｔｗ２が所定温度α未満であると判断される場合、送風機２５を停止させ、冷却水の温度Ｔｗ２が所定温度α以上であると判断される場合、送風機２５を作動させる。
【００７９】
制御装置４０は、冷却水の温度Ｔｗ２が所定温度α未満であると判断される場合、送風機２５の送風能力（回転数）を減少させ、冷却水の温度Ｔｗ２が所定温度α以上であると判断される場合、送風機２５の送風能力（回転数）を増加させるようにしてもよい。
【００８０】
これにより、冷却水加熱用熱交換器１５における冷媒圧力を確実に上昇させることができるので、十分な性能を確実に発揮させることができる。
【００８１】
特に、冷媒が外部から吸熱することなく循環するホットガスサイクルにしている場合、性能を顕著に向上できる。
【００８２】
本実施形態において、制御装置４０は、第２冷却水回路Ｃ２の冷却水の温度Ｔｗ２が所定温度αに近づくように、ヒータコア１６を流れる送風空気の流量を制御してもよい。これにより、高い性能を安定して発揮できる。
【００８３】
本実施形態において、制御装置４０は、第２冷却水回路Ｃ２の冷却水の温度Ｔｗ２が所定温度αに近づくように、ヒータコア１６を流れる冷却水の流量を制御してもよい。これにより、高い性能を安定して発揮できる。特に、冷却水は、空気よりも温度変動が少ないため、第２冷却水回路Ｃ２の冷却水の温度Ｔｗ２を良好に制御できる。
【００８４】
例えば、ヒータコア１６を流れる冷却水の流量の制御を流量制御弁２７によって行えば、第２冷却水回路Ｃ２の全体の冷却水流量を変化させることなくヒータコア１６を流れる冷却水の流量を制御できる。
【００８５】
本実施形態において、制御装置４０は、第２冷却水回路Ｃ２の冷却水の温度Ｔｗ２が所定温度αに近づくように、圧縮機２１から吐出される冷媒の流量を制御してもよい。これにより、高い性能を安定して発揮できる。
【００８６】
具体的には、圧縮機２１の回転数（冷媒吐出能力）を制御することによって、圧縮機２１から吐出される冷媒の流量を制御できる。
【００８７】
本実施形態において、制御装置４０は、所定温度αを、少なくとも外気温度に基づいて算出してもよい。これにより、外気温度等の環境条件の変化に応じて十分な性能を発揮させることが可能になる。
【００８８】
（第２実施形態）
図５に示すように、本実施形態の熱管理システム１０は、クーラコア５１、インバータ５２、電池温調用熱交換器５３、冷却水冷却水熱交換器５４、第１切替弁５５および第２切替弁５６を備えている。
【００８９】
クーラコア５１は、冷却水が流通する冷却水流通機器（熱媒体流通機器）である。クーラコア５１は、冷却水と車室内への送風空気とを熱交換させて車室内への送風空気を冷却する空気冷却用熱交換器（熱媒体空気熱交換器）である。
【００９０】
クーラコア５１では、冷却水が顕熱変化にて送風空気から吸熱する。すなわち、クーラコア５１では、冷却水が送風空気から吸熱しても冷却水が液相のままで相変化しない。クーラコア５１には、室内送風機２５によって内気、外気、または内気と外気との混合空気が送風される。
【００９１】
インバータ５２、電池温調用熱交換器５３および冷却水冷却水熱交換器５４は、冷却水が流通する流路を有し、冷却水との間で熱授受が行われる熱授受機器（温度調整対象機器）である
インバータ５２は、電池から供給された直流電力を交流電圧に変換して走行用電動モータに出力する電力変換装置である。インバータ５２は、作動に伴って発熱する発熱機器である。
【００９２】
電池温調用熱交換器５３は、電池と冷却水とを熱交換する熱交換器である。電池温調用熱交換器５３は、電池に接触配置されていて、電池との間で熱伝導が行われる熱交換器である。電池温調用熱交換器５３は、電池への送風経路に配置されていて、送風空気と冷却水とを熱交換する熱交換器（空気熱媒体熱交換器）であってもよい。
【００９３】
冷却水冷却水熱交換器５４は、車両用熱管理システム１０の冷却水（第１ポンプ１１または第２ポンプ１２によって循環される冷却水）と、エンジン冷却回路７０の冷却水（エンジン用熱媒体）とを熱交換する熱交換器（熱媒体熱媒体熱交換器）である。
【００９４】
第１ポンプ１１は、第１ポンプ用流路６１に配置されている。第１ポンプ用流路６１において第１ポンプ１１の吐出側には、冷却水冷却用熱交換器１４が配置されている。
【００９５】
第２ポンプ１２は、第２ポンプ用流路６２に配置されている。第２ポンプ用流路６２において第２ポンプ１２の吐出側には、冷却水加熱用熱交換器１５が配置されている。
【００９６】
室外熱交換器１３は、室外熱交換器用流路６３に配置されている。クーラコア５１は、クーラコア用流路６４に配置されている。ヒータコア１６は、ヒータコア用流路６５に配置されている。
【００９７】
インバータ５２は、インバータ用流路６６に配置されている。電池温調用熱交換器５３は、電池温調用流路６７に配置されている。冷却水冷却水熱交換器５４は、冷却水冷却水熱交換器用流路６８に配置されている。
【００９８】
第１ポンプ用流路６１、第２ポンプ用流路６２、室外熱交換器用流路６３、クーラコア用流路６４、ヒータコア用流路６５、インバータ用流路６６、電池温調用流路６７および冷却水冷却水熱交換器用流路６８は、第１切替弁５５および第２切替弁５６に接続されている。第１切替弁５５および第２切替弁５６は、冷却水の流れを切り替える切替手段である。
【００９９】
第１切替弁５５は、冷却水の入口として第１入口５５ａおよび第２入口５５ｂを有し、冷却水の出口として第１出口５５ｃ、第２出口５５ｄ、第３出口５５ｅ、第４出口５５ｆ、第５出口５５ｇ、第６出口５５ｈ、第７出口５５ｉを有している。
【０１００】
第２切替弁５６は、冷却水の出口として第１出口５６ａおよび第２出口５６ｂを有し、冷却水の入口として第１入口５６ｃ、第２入口５６ｄ、第３入口５６ｅ、第４入口５６ｆ、第５入口５６ｇ、第６入口５６ｈ、第７入口５６ｉを有している。
【０１０１】
第１切替弁５５の第１入口５５ａには、第１ポンプ用流路６１の一端が接続されている。換言すれば、第１切替弁５５の第１入口５５ａには、冷却水冷却用熱交換器１４の冷却水出口側が接続されている。
【０１０２】
第１切替弁５５の第２入口５５ｂには、第２ポンプ用流路６２の一端が接続されている。換言すれば、第１切替弁５５の第２入口５５ｂには、冷却水加熱用熱交換器１５の冷却水出口側が接続されている。
【０１０３】
第１切替弁５５の第１出口５５ｃには、室外熱交換器用流路６３の一端が接続されている。換言すれば、第１切替弁５５の第１出口５５ｃには室外熱交換器１３の冷却水入口側が接続されている。
【０１０４】
第１切替弁５５の第２出口５５ｄには、クーラコア用流路６４の一端が接続されている。換言すれば、第１切替弁５５の第２出口５５ｄにはクーラコア５１の冷却水入口側が接続されている。
【０１０５】
第１切替弁５５の第３出口５５ｅには、ヒータコア用流路６５の一端が接続されている。換言すれば、第１切替弁５５の第３出口５５ｅにはヒータコア１６の冷却水入口側が接続されている。
【０１０６】
第１切替弁５５の第４出口５５ｆには、インバータ用流路６６の一端が接続されている。換言すれば、第１切替弁５５の第４出口５５ｆにはインバータ５２の冷却水入口側が接続されている。
【０１０７】
第１切替弁５５の第５出口５５ｇには、電池温調用流路６７の一端が接続されている。換言すれば、第１切替弁５５の第５出口５５ｇには電池温調用熱交換器５３の冷却水入口側が接続されている。
【０１０８】
第１切替弁５５の第６出口５５ｈには、冷却水冷却水熱交換器用流路６８の一端が接続されている。換言すれば、第１切替弁５５の第６出口５５ｈには冷却水冷却水熱交換器５４の冷却水入口側が接続されている。
【０１０９】
第１切替弁５５の第７出口５５ｉには、バイパス流路２６の一端が接続されている。
【０１１０】
第２切替弁５６の第１出口５６ａには、第１ポンプ用流路６１の他端が接続されている。換言すれば、第２切替弁５６の第１出口５６ａには、第１ポンプ１１の冷却水吸入側が接続されている。
【０１１１】
第２切替弁５６の第２出口５６ｂには、第２ポンプ用流路６２の他端が接続されている。換言すれば、第２切替弁５６の第２出口５６ｂには、第２ポンプ１２の冷却水吸入側が接続されている。
【０１１２】
第２切替弁５６の第１入口５６ｃには、室外熱交換器用流路６３の他端が接続されている。換言すれば、第２切替弁５６の第１入口５６ｃには室外熱交換器１３の冷却水出口側が接続されている。
【０１１３】
第２切替弁５６の第２入口５５ｄには、クーラコア用流路６４の他端が接続されている。換言すれば、第２切替弁５６の第２入口５５ｄにはクーラコア５１の冷却水出口側が接続されている。
【０１１４】
第２切替弁５６の第３入口５５ｅには、ヒータコア用流路６５の他端が接続されている。換言すれば、第２切替弁５６の第３入口５５ｅにはヒータコア１６の冷却水出口側が接続されている。
【０１１５】
第２切替弁５６の第４入口５５ｆには、インバータ用流路６６の他端が接続されている。換言すれば、第２切替弁５６の第４入口５５ｆにはインバータ５２の冷却水出口側が接続されている。
【０１１６】
第２切替弁５６の第５入口５５ｇには、電池温調用流路６７の他端が接続されている。換言すれば、第２切替弁５６の第５入口５５ｇには電池温調用熱交換器５３の冷却水出口側が接続されている。
【０１１７】
第２切替弁５６の第６入口５５ｈには、冷却水冷却水熱交換器用流路６８の他端が接続されている。換言すれば、第２切替弁５６の第６入口５５ｈには冷却水冷却水熱交換器５４の冷却水出口側が接続されている。
【０１１８】
第２切替弁５６の第７入口５５ｉには、バイパス流路２６の他端が接続されている。
【０１１９】
第１切替弁５５および第２切替弁５６は、各入口と各出口との連通状態を任意または選択的に切り替え可能な構造になっている。
【０１２０】
具体的には、第１切替弁５５は、室外熱交換器１３、クーラコア５１、ヒータコア１６、インバータ５２、電池温調用熱交換器５３、冷却水冷却水熱交換器５４およびバイパス流路２６のそれぞれについて、第１ポンプ１１から吐出された冷却水が流入する状態と、第２ポンプ１２から吐出された冷却水が流入する状態と、第１ポンプ１１から吐出された冷却水および第２ポンプ１２から吐出された冷却水が流入しない状態とを切り替える。
【０１２１】
第２切替弁５６は、室外熱交換器１３、クーラコア５１、ヒータコア１６、インバータ５２、電池温調用熱交換器５３、冷却水冷却水熱交換器５４およびバイパス流路２６のそれぞれについて、第１ポンプ１１へ冷却水が流出する状態と、第２ポンプ１２へ冷却水が流出する状態と、第１ポンプ１１および第２ポンプ１２へ冷却水が流出しない状態とを切り替える。
【０１２２】
第１切替弁５５および第２切替弁５６は、弁開度を調整可能になっている。これにより、室外熱交換器１３、クーラコア５１、ヒータコア１６、インバータ５２、電池温調用熱交換器５３、冷却水冷却水熱交換器５４およびバイパス流路２６を流れる冷却水の流量を調整できる。
【０１２３】
したがって、第１切替弁５５および第２切替弁５６は、各冷却水流通機器１３、１６、５１、５２、５３、５４およびバイパス流路２６を流れる冷却水の流量を調整する流量調整弁である。
【０１２４】
第１切替弁５５および第２切替弁５６は、第１ポンプ１１から吐出された冷却水と、第２ポンプ１２から吐出された冷却水とを任意の流量割合で混合して、室外熱交換器１３、クーラコア５１、ヒータコア１６、インバータ５２、電池温調用熱交換器５３、冷却水冷却水熱交換器５４およびバイパス流路２６に流入させることが可能になっている。
【０１２５】
クーラコア５１およびヒータコア１６は、車両用空調装置の室内空調ユニット３０のケーシング３１に収容されている。
【０１２６】
ケーシング３１内の空気流れ最上流側には、内外気切替箱３２が配置されている。内外気切替箱３２は、内気（車室内空気）と外気（車室外空気）とを切替導入する内外気導入手段である。
【０１２７】
内外気切替箱３２には、ケーシング３１内に内気を導入させる内気吸込口３２ａ、および外気を導入させる外気吸込口３２ｂが形成されている。内外気切替箱３２の内部には、内外気切替ドア３３が配置されている。
【０１２８】
内外気切替ドア３３は、ケーシング３１内に導入される内気と外気との風量割合を変化させる風量割合変更手段である。具体的には、内外気切替ドア３３は、内気吸込口３２ａおよび外気吸込口３２ｂの開口面積を連続的に調整して、内気の風量と外気の風量との風量割合を変化させる。内外気切替ドア３３は、電動アクチュエータ（図示せず）によって駆動される。
【０１２９】
内外気切替箱３２の空気流れ下流側には、室内送風機２５（ブロワ）が配置されている。室内送風機２５は、内外気切替箱３２を介して吸入した空気（内気および外気）を車室内へ向けて送風する送風手段である。
【０１３０】
ケーシング３１内において室内送風機２５の空気流れ下流側には、クーラコア５１およびヒータコア１６が配置されている。
【０１３１】
ケーシング３１の内部においてクーラコア５１の空気流れ下流側部位には、ヒータコアバイパス通路３１ａが形成されている。ヒータコアバイパス通路３１ａは、クーラコア５１を通過した空気を、ヒータコア１６を通過させずに流す空気通路である。
【０１３２】
ケーシング３１の内部においてクーラコア５１とヒータコア１６との間には、エアミックスドア３５が配置されている。
【０１３３】
エアミックスドア３５は、ヒータコア１６へ流入させる空気と、ヒータコアバイパス通路３１ａへ流入させる空気との風量割合を連続的に変化させる風量割合調整手段である。エアミックスドア３５は、回動可能な板状ドアや、スライド可能なドア等であり、電動アクチュエータ（図示せず）によって駆動される。
【０１３４】
ヒータコア１６を通過する空気とヒータコアバイパス通路３１ａを通過する空気との風量割合によって、車室内へ吹き出される吹出空気の温度が変化する。したがって、エアミックスドア３５は、車室内へ吹き出される吹出空気の温度を調整する温度調整手段である。
【０１３５】
ケーシング３１の空気流れ最下流部には、空調対象空間である車室内へ送風空気を吹き出す吹出口３１ｂが配置されている。この吹出口３１ｂとしては、具体的には、デフロスタ吹出口、フェイス吹出口およびフット吹出口が設けられている。
【０１３６】
デフロスタ吹出口は、車両前面窓ガラスの内側の面に向けて空調風を吹き出す。フェイス吹出口は、乗員の上半身に向けて空調風を吹き出す。フット吹出口は、乗員の足元に向けて空調風を吹き出す。
【０１３７】
吹出口３１ｂの空気流れ上流側には、吹出口モードドア（図示せず）が配置されている。吹出口モードドアは、吹出口モードを切り替える吹出口モード切替手段である。吹出口モードドアは、電動アクチュエータ(図示せず)によって駆動される。
【０１３８】
吹出口モードドアによって切り替えられる吹出口モードとしては、例えば、フェイスモード、バイレベルモード、フットモードおよびフットデフロスタモードがある。
【０１３９】
フェイスモードは、フェイス吹出口を全開してフェイス吹出口から車室内乗員の上半身に向けて空気を吹き出す吹出口モードである。バイレベルモードは、フェイス吹出口とフット吹出口の両方を開口して車室内乗員の上半身と足元に向けて空気を吹き出す吹出口モードである。
【０１４０】
フットモードは、フット吹出口を全開するとともにデフロスタ吹出口を小開度だけ開口して、フット吹出口から主に空気を吹き出す吹出口モードである。フットデフロスタモードは、フット吹出口およびデフロスタ吹出口を同程度開口して、フット吹出口およびデフロスタ吹出口の双方から空気を吹き出す吹出口モードである。
【０１４１】
エンジン冷却回路７０は、エンジン７１を冷却するための冷却水循環回路である。エンジン冷却回路７０は、エンジン冷却水（第２熱媒体）が循環する循環流路７２を有している。循環流路７２には、エンジン７１、第３ポンプ７３、エンジン用ラジエータ７４および冷却水冷却水熱交換器５４が配置されている。
【０１４２】
第３ポンプ７３は、エンジン冷却水を吸入して吐出する電動ポンプである。第３ポンプ７３は、エンジン７１から出力される動力によって駆動される機械式ポンプであってもよい。
【０１４３】
エンジン用ラジエータ７４は、エンジン冷却水と外気とを熱交換することによって冷却水の熱を外気に放熱させる放熱用の熱交換器（空気熱媒体熱交換器）である。
【０１４４】
循環流路７２には、ラジエータバイパス流路７５が接続されている。ラジエータバイパス流路７５は、エンジン冷却水がエンジン用ラジエータ７４をバイパスして流れる流路である。
【０１４５】
ラジエータバイパス流路７５と循環流路７２との接続部にはサーモスタット７６が配置されている。サーモスタット７６は、温度によって体積変化するサーモワックス（感温部材）によって弁体を変位させて冷却水流路を開閉する機械的機構で構成される冷却水温度応動弁である。
【０１４６】
具体的には、サーモスタット７６は、エンジン冷却水の温度が所定温度を上回っている場合（例えば８０℃以上）、ラジエータバイパス流路７５を閉じ、冷却水の温度が所定温度を下回っている場合（例えば８０℃未満）、ラジエータバイパス流路７５を開ける。
【０１４７】
循環流路７２には、エンジン補機用流路７７が接続されている。エンジン補機用流路７７は、エンジン冷却水が冷却水冷却水熱交換器５４と並列に流れる流路である。エンジン補機用流路７７にはエンジン補機７８が配置されている。冷却水冷却水熱交換器５４は、冷却エンジン補機用流路７７に配置されて、エンジン補機７８と直列に冷却水が流れるようになってもよい。
【０１４８】
エンジン補機７８は、オイル熱交換器、ＥＧＲクーラ、スロットルクーラ（ウォーマ）、ターボクーラ、エンジン補助モータ等である。オイル熱交換器は、エンジンオイルまたはトランスミッションオイルとエンジン冷却水とを熱交換してオイルの温度を調整する熱交換器である。
【０１４９】
ＥＧＲクーラは、エンジンの排気ガスの一部を吸気側に還流させてスロットルバルブで発生するポンピングロスを低減させるＥＧＲ（排気ガス再循環）装置を構成する熱交換器であって、還流ガスとエンジン冷却水とを熱交換させて還流ガスの温度を調整する熱交換器である。
【０１５０】
スロットルクーラ（ウォーマ）は、スロットルバルブを冷却（加熱）するためにスロットル内部に設けたウォータジャケットである。
【０１５１】
ターボクーラはターボチャージャで発生する熱とエンジン冷却水とを熱交換させてターボチャージャを冷却するための冷却器である。
【０１５２】
エンジン補助モータは、エンジン停止中でもエンジンベルトを回せるようにするための大型モータであり、エンジンベルトで駆動される圧縮機やウォータポンプなどをエンジン７１の駆動力が無い状態でも作動させたり、エンジン７１の始動時に利用される。
【０１５３】
エンジン用ラジエータ７４にはエンジン用リザーブタンク７９が接続されている。エンジン用リザーブタンク７９は、エンジン冷却水を貯留する大気開放式の容器（熱媒体貯留手段）である。したがって、エンジン用リザーブタンク７９に蓄えているエンジン冷却水の液面における圧力は大気圧になる。
【０１５４】
エンジン用リザーブタンク７９は、エンジン用リザーブタンク７９に蓄えているエンジン冷却水の液面における圧力が所定圧力（大気圧とは異なる圧力）になるように構成されていてもよい。
【０１５５】
エンジン用リザーブタンク７９に余剰冷却水を貯留しておくことによって、各流路を循環するエンジン冷却水の液量の低下を抑制することができる。エンジン用リザーブタンク７９は、エンジン冷却水に混入した気泡を気液分離する機能を有している。
【０１５６】
室外熱交換器用流路６３にはリザーブタンク８０が接続されている。リザーブタンク８０の構造および機能はエンジン用リザーブタンク７９と同様である。
【０１５７】
室内空調ユニット３０のケーシング３１の内部においてヒータコア１６の空気流れ下流側部位には、補助ヒータ８１が配置されている。補助ヒータ８１は、送風空気を加熱する空気加熱手段である。補助ヒータ８１は、ＰＴＣ素子（正特性サーミスタ）を有し、このＰＴＣ素子に電力が供給されることによって発熱して空気を加熱するＰＴＣヒータ（電気ヒータ）である。補助ヒータ８１は、ニクロム線などの電熱線を有し、電熱線に電力が供給されることによって空気を加熱する方式の電熱ヒータでもよい。
【０１５８】
図６に示すように、補助ヒータ８１には、電池８２から電力が供給される。電池８２および補助ヒータ８１で構成される電流回路には、リレー８３およびヒューズ８４が配置されている。
【０１５９】
リレー８３は、補助ヒータ８１への通電をオン・オフする通電制御手段である。リレー８３が補助ヒータ８１への通電をオン・オフすることによって、補助ヒータ８１の発熱量が制御される。リレー８３の作動（発熱量）は、制御装置４０によって制御される。ヒューズ８４は、電流回路に過電流が流れた場合に通電を遮断する通電遮断手段である。
【０１６０】
次に、熱管理システム１０の電気制御部を図７に基づいて説明する。制御装置４０のうち第１切替弁５５および第２切替弁５６の作動を制御する構成（ハードウェアおよびソフトウェア）は、切替弁制御手段４０ｇ（流量調整弁制御手段）を構成している。切替弁制御手段４０ｇを制御装置４０に対して別体で構成してもよい。
【０１６１】
切替弁制御手段４０ｇは、第１切替弁５５および第２切替弁５６とともに、各冷却水流通機器１３、１６、５１、５２、５３、５４およびバイパス流路２６を流れる冷却水の流量を制御する冷却水流量制御手段（熱媒体流量制御手段）を構成している。
【０１６２】
制御装置４０のうち、ケーシング３１の内部に配置された各種ドア（内外気切替ドア３３、エアミックスドア３５、吹出口モードドア等）の作動を制御する構成（ハードウェアおよびソフトウェア）は、空調切替制御手段４０ｈを構成している。空調切替制御手段４０ｈを制御装置４０に対して別体で構成してもよい。
【０１６３】
エアミックスドア３５および空調切替制御手段４０ｈは、クーラコア５１で冷却された送風空気のうちヒータコア１６を流れる送風空気とヒータコア１６を迂回して流れる送風空気との風量割合を調整する風量割合調整手段である。
【０１６４】
内外気切替ドア３３および空調切替制御手段４０ｈは、車室内へ吹き出される送風空気のうち内気と外気との割合を調整する内外気割合調整手段である。
【０１６５】
制御装置４０のうち補助ヒータ８１（具体的には補助ヒータ用リレー８３）の作動を制御する構成（ハードウェアおよびソフトウェア）は、補助ヒータ制御手段４０ｉ（電気ヒータ制御手段）を構成している。補助ヒータ制御手段４０ｉは、補助ヒータ８１による空気の加熱を制御する空気加熱制御手段である。
【０１６６】
制御装置４０のうちインバータ５２の作動を制御する構成（ハードウェアおよびソフトウェア）は、インバータ制御手段４０ｊを構成している。
【０１６７】
制御装置４０の入力側には、内気温度センサ４１、内気湿度センサ８５、外気温度センサ４２、日射センサ４３、第１水温センサ８６、第２水温センサ４６、ラジエータ水温センサ８７、クーラコア温度センサ８８、ヒータコア温度センサ８９、エンジン水温センサ９０、インバータ温度センサ９１、電池温度センサ９２、冷媒温度センサ９３、９４および冷媒圧力センサ９５、９６等のセンサ群の検出信号が入力される。
【０１６８】
内気温度センサ４１は、内気の温度（車室内温度）を検出する検出手段（内気温度検出手段）である。内気湿度センサ８５は、内気の湿度を検出する検出手段（内気湿度検出手段）である。
【０１６９】
外気温度センサ４２は、外気の温度（車室外温度）を検出する検出手段（外気温度検出手段）である。日射センサ４３は、車室内の日射量を検出する検出手段(日射量検出手段）である。
【０１７０】
第１水温センサ８６は、第１ポンプ用流路６１を流れる冷却水の温度（例えば第１ポンプ１１に吸入される冷却水の温度）を検出する検出手段（第１熱媒体温度検出手段）である。
【０１７１】
第２水温センサ４６は、第２ポンプ用流路６２を流れる冷却水の温度（例えば第２ポンプ１２に吸入される冷却水の温度）を検出する検出手段（第２熱媒体温度検出手段）である。
【０１７２】
ラジエータ水温センサ８７は、ラジエータ用流路６３を流れる冷却水の温度（例えばラジエータ１３から流出した冷却水の温度）を検出する検出手段（機器側熱媒体温度検出手段）である。
【０１７３】
クーラコア温度センサ８８は、クーラコア５１の表面温度を検出する検出手段（クーラコア温度検出手段）である。クーラコア温度センサ８８は、例えば、クーラコア５１の熱交換フィンの温度を検出するフィンサーミスタや、クーラコア５１を流れる冷却水の温度を検出する水温センサ等である。
【０１７４】
ヒータコア温度センサ８９は、ヒータコア１６の表面温度を検出する検出手段（ヒータコア温度検出手段）である。ヒータコア温度センサ８９は、例えば、ヒータコア１６の熱交換フィンの温度を検出するフィンサーミスタや、ヒータコア１６を流れる冷却水の温度を検出する水温センサ等である。
【０１７５】
エンジン水温センサ９０は、エンジン冷却回路７０を循環する冷却水の温度（例えばエンジン７１の内部を流れる冷却水の温度）を検出する検出手段（エンジン熱媒体温度検出手段）である。
【０１７６】
インバータ温度センサ９１は、インバータ用流路６６を流れる冷却水の温度（例えばインバータ５２から流出した冷却水の温度）を検出する検出手段（機器側熱媒体温度検出手段）である。
【０１７７】
電池温度センサ９２は、電池熱交換用流路６７を流れる冷却水の温度（例えば電池温調用熱交換器５３に流入する冷却水の温度）を検出する検出手段（機器側熱媒体温度検出手段）である。
【０１７８】
冷媒温度センサ９３、９４は、圧縮機２１から吐出された冷媒の温度を検出する吐出側冷媒温度センサ９３、および圧縮機２１に吸入される冷媒の温度を検出する吸入側冷媒温度センサ９４である。
【０１７９】
冷媒圧力センサ９５、９６は、圧縮機２１から吐出された冷媒の圧力を検出する吐出側冷媒圧力センサ９５、および圧縮機２１に吸入される冷媒の圧力を検出する吸入側冷媒温度センサ９６である。
【０１８０】
次に、上記構成における作動を説明する。制御装置４０が第１ポンプ１１、第２ポンプ１２、圧縮機２１、第１切替弁５５および第２切替弁５６等の作動を制御することによって、種々の作動モードに切り替えられる。
【０１８１】
例えば、第１ポンプ１１によって吸入されて吐出された冷却水が、冷却水冷却用熱交換器１４と、ラジエータ１３、クーラコア５１、ヒータコア１６、インバータ５２、電池温調用熱交換器５３および冷却水冷却水熱交換器５４のうち少なくとも１つの機器との間で循環する低温側冷却水回路（低温側熱媒体回路）が形成され、第２ポンプ１２によって吸入されて吐出された冷却水が、冷却水加熱用熱交換器１５と、ラジエータ１３、クーラコア５１、ヒータコア１６、インバータ５２、電池温調用熱交換器５３および冷却水冷却水熱交換器５４のうち少なくとも１つの機器との間で循環する高温側冷却水回路（高温側熱媒体回路）が形成される。
【０１８２】
ラジエータ１３、クーラコア５１、ヒータコア１６、インバータ５２、電池温調用熱交換器５３および冷却水冷却水熱交換器５４のそれぞれについて、低温側冷却水回路に接続される場合と、高温側冷却水回路に接続される場合とを状況に応じて切り替えることによって、ラジエータ１３、クーラコア５１、ヒータコア１６、インバータ５２、電池温調用熱交換器５３および冷却水冷却水熱交換器５４を状況に応じて適切な温度に調整できる。
【０１８３】
ラジエータ１３が低温側冷却水回路に接続された場合、冷凍サイクル３１のヒートポンプ運転を行うことができる。すなわち、低温側冷却水回路では、冷却水冷却用熱交換器１４で冷却された冷却水がラジエータ１３を流れるので、ラジエータ１３で冷却水が外気から吸熱する。
【０１８４】
そして、ラジエータ１３にて外気から吸熱した冷却水は、冷却水冷却用熱交換器１４で冷凍サイクル３１の冷媒と熱交換して放熱する。したがって、冷却水冷却用熱交換器１４では、冷凍サイクル３１の冷媒が冷却水を介して外気から吸熱する。
【０１８５】
冷却水冷却用熱交換器１４にて外気から吸熱した冷媒は、冷却水加熱用熱交換器１５にて高温側冷却水回路の冷却水と熱交換して放熱する。したがって、外気の熱を汲み上げるヒートポンプ運転を実現できる。
【０１８６】
ラジエータ１３が高温側冷却水回路に接続された場合、冷却水加熱用熱交換器１５で加熱された冷却水がラジエータ１３を流れるので、ラジエータ１３で冷却水の熱を外気に放熱できる。
【０１８７】
クーラコア５１が低温側冷却水回路に接続された場合、冷却水冷却用熱交換器１４で冷却された冷却水がクーラコア５１を流れるので、クーラコア５１で車室内への送風空気を冷却できる。すなわち車室内を冷房できる。
【０１８８】
ヒータコア１６が高温側冷却水回路に接続された場合、冷却水加熱用熱交換器１５で加熱された冷却水がヒータコア１６を流れるので、ヒータコア１６で車室内への送風空気を加熱できる。すなわち車室内を暖房できる。
【０１８９】
インバータ５２が低温側冷却水回路に接続された場合、冷却水冷却用熱交換器１４で冷却された冷却水がインバータ５２を流れるのでインバータ５２を冷却できる。換言すれば、インバータ５２の廃熱を汲み上げるヒートポンプ運転を実現できる。
【０１９０】
インバータ５２が高温側冷却水回路に接続された場合、冷却水加熱用熱交換器１５で加熱された冷却水がインバータ５２を流れるのでインバータ５２を加熱(暖機)できる。
【０１９１】
電池温調用熱交換器５３が低温側冷却水回路に接続された場合、冷却水冷却用熱交換器１４で冷却された冷却水が電池温調用熱交換器５３を流れるので電池を冷却できる。換言すれば、電池の廃熱を汲み上げるヒートポンプ運転を実現できる。
【０１９２】
電池温調用熱交換器５３が高温側冷却水回路に接続された場合、冷却水加熱用熱交換器１５で加熱された冷却水が電池温調用熱交換器５３を流れるので電池を加熱（暖機）できる。
【０１９３】
冷却水冷却水熱交換器５４が低温側冷却水回路に接続された場合、冷却水冷却用熱交換器１４で冷却された冷却水が冷却水冷却水熱交換器５４を流れるのでエンジン冷却水を冷却できる。換言すれば、冷却水冷却水熱交換器５４で低温側冷却水回路の冷却水がエンジン冷却水から吸熱できるので、エンジン７１の廃熱を汲み上げるヒートポンプ運転を実現できる。
【０１９４】
冷却水冷却水熱交換器５４が高温側冷却水回路に接続された場合、冷却水加熱用熱交換器１５で加熱された冷却水が冷却水冷却水熱交換器５４を流れるのでエンジン冷却水を加熱できる。したがって、エンジン７１を加熱（暖機）できる。
【０１９５】
空調モードが暖房モードに設定された場合、制御装置４０は、図８のフローチャートに示す制御処理を実行する。暖房モードは、ヒータコア１６で送風空気を加熱して車室内へ吹き出す空調モードである。例えば、暖房モードは、内気の温度が目標吹出空気温度ＴＡＯよりも低い場合に設定される。
【０１９６】
ステップＳ１００では、第２冷却水回路の冷却水温度Ｔｗ２（第２ポンプ用流路６２を流れる冷却水の温度）が所定値α未満であるか否かを判定する。所定値αは、定常運転時における第２冷却水回路の冷却水温度よりも低い温度値である。
【０１９７】
第２冷却水回路の冷却水温度Ｔｗ２が所定値α未満である場合とは、第２冷却水回路の冷却水が冷えていて、第２冷却水回路の冷却水の温度を早期に上昇させる必要がある場合のことである。
【０１９８】
第２冷却水回路の冷却水温度Ｔｗ２が所定値α未満でないと判定した場合、ステップＳ１１０へ進み、図９に示す通常暖房モードを実施する。通常暖房モードでは、ラジエータ１３が低温側冷却水回路Ｃ１に接続され、ヒータコア１６が高温側冷却水回路Ｃ２に接続される。
【０１９９】
これにより、冷却水加熱用熱交換器１５で加熱された冷却水がヒータコア１６を流れるので、ヒータコア１６で車室内への送風空気を加熱できる。すなわち車室内を暖房できる。
【０２００】
一方、第２冷却水回路の冷却水温度Ｔｗ２が所定値α未満であると判定した場合、ステップＳ１２０へ進み、図１０に示すウォームアップ暖房モードの制御処理を実施する。
【０２０１】
ウォームアップ暖房モードの制御処理のステップＳ１２１では、インバータ５２の発熱量Ｑｅが所定量以上であるか否かを判定する。所定量は、例えば、冷却水加熱用熱交換器１５での放熱量（冷却水加熱量）である。
【０２０２】
インバータ５２の発熱量が所定量以上でないと判定した場合、ステップＳ１２２へ進み、図１１に示すヒータコアバイパスウォームアップ暖房モードの冷却水回路に切り替える。
【０２０３】
ヒータコアバイパスウォームアップ暖房モードでは、ラジエータ１３が低温側冷却水回路Ｃ１に接続され、高温側冷却水回路Ｃ２の冷却水がヒータコア１６を流れずにバイパス流路２６を流れて循環する。
【０２０４】
これにより、冷却水加熱用熱交換器１５で加熱された冷却水がヒータコア１６で送風空気に放熱されないので、第２冷却水回路Ｃ２の冷却水温度Ｔｗ２を速やかに上昇させることができる。
【０２０５】
一方、インバータ５２の発熱量が所定量以上であると判定した場合、ステップＳ１２３へ進み、図１２に示す廃熱利用ウォームアップ暖房モードの冷却水回路に切り替える。
【０２０６】
廃熱利用ウォームアップ暖房モードでは、ラジエータ１３が低温側冷却水回路Ｃ１に接続され、高温側冷却水回路Ｃ２にヒータコア１６が接続されずインバータ５２が接続される。
【０２０７】
これにより、冷却水加熱用熱交換器１５で加熱された冷却水がヒータコア１６で送風空気に放熱されないので、第２冷却水回路Ｃ２の冷却水温度Ｔｗ２を速やかに上昇させることができる。さらに、インバータ５２の廃熱で高温側冷却水回路Ｃ２の冷却水が加熱されるので、インバータ５２の廃熱を利用して第２冷却水回路Ｃ２の冷却水温度Ｔｗ２を速やかに上昇させることができる。
【０２０８】
廃熱利用ウォームアップ暖房モードでは、制御装置４０がインバータ５２の作動効率を意図的に低下させることによって、インバータ５２の発熱量（廃熱量）を増やすようにしてもよい。
【０２０９】
ステップＳ１２０に続くステップＳ１３０では、ＴＡＶ＝ＴＡＯとなるような補助ヒータ吹出目標温度ＴＡＯ＿ＡＨを算出する。ＴＡＶは、室内空調ユニット３０から吹き出される空気の温度である。補助ヒータ吹出目標温度ＴＡＯ＿ＡＨは、以下の数式を用いて算出される。
【０２１０】
ＴＡＯ＝Ａ／１００×ＴＡＯ＿ＡＨ＋Ｂ／１００×Ｔ＿ｉｎ
Ａは、室内送風機２５から送風された空気のうち、補助ヒータ８１を通過する空気の風量割合を百分率（％）で表したものである。Ｂは、室内送風機２５から送風された空気のうち、補助ヒータ８１をバイパスして流れる空気の風量割合を百分率（％）で表したものである。Ｔ＿ｉｎは、補助ヒータ８１に流入する空気の温度である。
【０２１１】
ステップＳ１３０で用いられる各温度ＴＡＶ、ＴＡＯ、ＴＡＯ＿ＡＨ、Ｔ＿ｉｎは、絶対温度（Ｋ）で表されたものである。
【０２１２】
続くステップＳ１４０では、ＴＡＶ＿ＡＨ＝ＴＡＯ＿ＡＨとなる補助ヒータ通過風量Ｌを、予め制御装置４０に記憶された制御マップを参照して算出する。補助ヒータ通過風量Ｌは、補助ヒータ８１を通過する空気の風量である。ＴＡＶ＿ＡＨは、補助ヒータ８１から吹き出される空気の温度（補助ヒータ後吹出空気温度）である。
【０２１３】
図１３は、ステップＳ１４０で用いられる制御マップの例を示している。制御マップは、補助ヒータ通過風量Ｌと補助ヒータ後吹出空気温度ＴＡＶ＿ＡＨとの関係を補助ヒータ流入空気温度Ｔ＿ｉｎ毎に表したものである。
【０２１４】
図１３は、補助ヒータ流入空気温度Ｔ＿ｉｎが０℃の場合と１０℃の場合の制御マップの例を示しているが、実際には補助ヒータ流入空気温度Ｔ＿ｉｎが０℃と１０℃以外の場合についても制御マップが複数作成されている。
【０２１５】
図１３は、補助ヒータ８１の加熱能力が１ｋＷである場合の制御マップの例を示しているが、補助ヒータ８１の加熱能力毎に制御マップが複数作成されている。
【０２１６】
続くステップＳ１５０では、ステップＳ１４０で算出した補助ヒータ通過風量Ｌが所定風量（例えば１５０ｍ３／ｈ）以上であるか否かを判定する。
【０２１７】
ステップＳ１４０で算出した補助ヒータ通過風量Ｌが所定風量以上であると判定した場合、ステップＳ１６０へ進み、ステップＳ１４０で算出した補助ヒータ通過風量Ｌが得られる室内送風機２５の駆動レベルを、予め制御装置４０に記憶された制御マップを参照して決定し、決定した駆動レベルで室内送風機２５を駆動する。
【０２１８】
図１４は、ステップＳ１６０で用いられる制御マップの例を示している。制御マップは、室内空調ユニット３０の風路状態（空調ユニット作動モード）と、室内送風機２５の駆動レベル（ブロワ駆動レベル）と、補助ヒータ通過風量Ｌとの関係を表したものである。
図１４の制御マップにおいて、縦軸は、室内空調ユニット３０の風路状態（空調ユニット作動モード）であり、横軸は、室内送風機２５の駆動レベル（ブロワ駆動レベル）であり、制御マップ内の数値は、補助ヒータ通過風量Ｌである。
【０２１９】
図１４の制御マップにおいて、室内空調ユニット３０の風路状態は、吸込口モード（内外気切替ドア３３の切替状態）、エアミックスドア３５の作動状態、および吹出口モード（吹出口モードドアの切替状態）に応じて区分されている。
【０２２０】
室内送風機２５の駆動レベルは、室内送風機２５の電動モータに印加される電圧に対応する値である。制御装置４０は、ステップＳ１６０で決定されたブロワ駆動レベルに基づいて、実際に室内送風機２５の電動モータに印加される電圧を決定する。
【０２２１】
続くステップＳ１７０では、補助ヒータ８１の通電をオンする。これにより、補助ヒータ８１で加熱された送風空気が車室内に吹き出されて車室内が暖房される。このとき、ステップＳ１６０で決定した駆動レベルで室内送風機２５を駆動するので、補助ヒータ８１を通過する風量は、ステップＳ１４０で算出した補助ヒータ通過風量Ｌとなる。そのため、車室内に吹き出される吹出空気は、目標吹出温度ＴＡＯに近い温度となる。
【０２２２】
一方、ステップＳ１５０において、ステップＳ１４０で算出した補助ヒータ通過風量Ｌが所定風量以上でないと判定した場合、ステップＳ１８０へ進む。所定風量は、室内送風機２５の最低送風量以下の風量であり、予め制御装置４０に記憶されている。
【０２２３】
ステップＳ１８０では、室内送風機２５を所定駆動力（最低駆動力）で駆動して、ステップＳ１７０へ進む。
【０２２４】
これにより、補助ヒータ８１で加熱された送風空気が車室内に吹き出されて車室内が暖房される。このとき、補助ヒータ８１を通過する空気の風量は最低風量になるので、車室内に吹き出される吹出空気の温度が極力高くなって、目標吹出温度ＴＡＯに極力近い温度となる。
【０２２５】
本実施形態では、第２冷却水回路Ｃ２の冷却水の温度Ｔｗ２が所定値α未満であると判断される場合、制御装置４０は、冷却水の温度Ｔｗ２が所定値α以上であると判断される場合と比較して、ヒータコア１６を流れる冷却水の流量を減少し、かつバイパス流路２６を流れる冷却水の流量が増加するように第１切替弁５５および第２切替弁５６の作動を制御する。
【０２２６】
これによると、第２冷却水回路Ｃ２の冷却水の温度Ｔｗ２が低い場合、冷却水加熱用熱交換器１５を流れる冷却水の流量を確保しつつ、ヒータコア１６における冷却水から送風空気への放熱量を低減できるので、第２冷却水回路Ｃ２の冷却水の温度Ｔｗ２を冷却水加熱用熱交換器１５によって早期に上昇させることができる。
【０２２７】
さらに、第２冷却水回路Ｃ２の冷却水の温度Ｔｗ２が所定値α未満であると判断される場合、制御装置４０は、送風空気が加熱されるように補助ヒータ８１の作動を制御するとともに、冷却水の温度Ｔｗ２が所定値α以上であると判断される場合と比較して、補助ヒータ８１流れる送風空気の流量を減少させる。
【０２２８】
これにより、補助ヒータ８１から吹き出される送風空気の温度を高めることができるので、第２冷却水回路Ｃ２の冷却水の温度Ｔｗ２を早期に上昇させるためにヒータコア１６における送風空気への放熱量を低減させても、車室内に吹き出される送風空気の温度が低下することを抑制できる。そのため、乗員の暖房感を極力確保することができる。
【０２２９】
（第３実施形態）
上記第２実施形態では、室内空調ユニット３０のケーシング３１の内部に補助ヒータ８１が配置されているが、本実施形態では、図１５に示すように、補助ヒータ８１の代わりに補助ヒータコア１００が配置されている。
【０２３０】
補助ヒータコア１００は、車室内への送風空気と、エンジン冷却回路７０のエンジン冷却水（第２熱媒体）とを熱交換して送風空気を加熱する空気加熱用熱交換器（第２空気加熱用熱交換器）である。すなわち、補助ヒータコア１００は、エンジン７１（熱媒体加熱手段）で加熱されたエンジン冷却水を利用して、車室内への送風空気を加熱する空気加熱手段である。
【０２３１】
補助ヒータコア１００は、エンジン冷却回路７０において循環流路７２に配置されている。ラジエータバイパス流路７５と循環流路７２との接続部には三方弁１０１が配置されている。
【０２３２】
三方弁１０１は、エンジン冷却水が補助ヒータコア１００を流れる状態と流れない状態とを切り替える冷却水流れ切替手段（冷却水流れ切替手段）である。三方弁１０１の作動は、制御装置４０によって制御される。
【０２３３】
三方弁１０１によって、エンジン冷却水が補助ヒータコア１００を流れる状態に切り替えられた場合、補助ヒータコア１００で送風空気が加熱される。三方弁１０１によって、エンジン冷却水が補助ヒータコア１００を流れない状態に切り替えられた場合、補助ヒータコア１００で送風空気が加熱されない。
【０２３４】
したがって、制御装置４０のうち、三方弁１０１の作動を制御する構成（ハードウェアおよびソフトウェア）は、空気加熱制御手段を構成している。空気加熱制御手段は、制御装置４０に対して別体で構成されていてもよい。
【０２３５】
空調モードが暖房モードに設定された場合、制御装置４０は、図８のフローチャートと同様の制御処理を実行する。
【０２３６】
具体的には、図８のフローチャートのステップＳ１４０〜Ｓ１６０において、補助ヒータ通過風量Ｌの代わりに補助ヒータコア１００を通過する空気の風量を用い、ステップＳ１７０において、補助ヒータ８１の通電をオンする代わりに、エンジン冷却水が補助ヒータコア１００を流れるように三方弁１０１の作動を制御する。
【０２３７】
ステップＳ１４０では、補助ヒータ８１の加熱能力毎に作成された制御マップ（図１３）の代わりに、エンジン７１の加熱能力毎に作成された制御マップを用いる。エンジン７１の加熱能力は、エンジン冷却回路７０を循環する冷却水の温度から推定することができる。
【０２３８】
本実施形態においても、上記第２実施形態と同様の作用効果を奏することができる。
【０２３９】
（第４実施形態）
図１６に示すように、冷却水加熱用熱交換器１５は、冷媒の流れ方向Ｒ１と冷却水の流れ方向Ｗ１とが対向する構造になっている。これにより、冷却水加熱用熱交換器１５の内部には、冷媒の流れ方向Ｒ１に沿って、気相域Ａ１、気液二相域Ａ２、過冷却域Ａ３が形成される。
【０２４０】
図１６では、気相域Ａ１、気液二相域Ａ２、過冷却域Ａ３を模式的に示している。気相域Ａ１は図１６の破線ハッチング領域であり、気液二相域Ａ２は図１６の一点鎖線ハッチング領域であり、過冷却域Ａ３は図１６の実線ハッチング領域である。
【０２４１】
気相域Ａ１では、冷媒が気相状態になっている。気液二相域Ａ２では、冷媒が気相二相状態になっている。過冷却域Ａ３では、冷媒が過冷却状態になっている。
【０２４２】
本実施形態によると、冷却水加熱用熱交換器１５において冷媒の流れ方向Ｒ１と冷却水の流れ方向Ｗ１とが対向するので、冷却水加熱用熱交換器１５に流入した冷却水の全部が過冷却域Ａ３、気液二相域Ａ２、気相域Ａ１の順に流れる。
【０２４３】
そのため、冷媒の流れ方向Ｒ１と冷却水の流れ方向Ｗ１とが直交している場合、すなわち冷却水加熱用熱交換器１５に流入した冷却水の一部のみが気相域Ａ１を流れる場合と比較して、気相域Ａ１の気相冷媒を冷却水で効果的に冷却できる。
【０２４４】
その結果、圧縮機２１から吐出された冷媒の温度を低く抑えることができるので、圧縮機２１の効率、冷凍サイクル２０の効率、および暖房効率を向上できる。
【０２４５】
（第５実施形態）
上記第１実施形態では、第２冷却水回路Ｃ２の冷却水の温度Ｔｗ２が所定温度α未満であると判断される場合、ヒータコア１６を流れる送風空気の流量を減少させるが、本実施形態ではさらに、図１７に示すように、第２冷却水回路Ｃ２の冷却水の温度Ｔｗ２が所定温度α未満であると判断される場合、冷却水加熱用熱交換器１５を流れる冷却水の流量を減少させる。
【０２４６】
具体的には、ステップＳ１００において第２冷却水回路Ｃ２の冷却水の温度Ｔｗ２が所定値αを下回っていると判定した場合、ステップＳ１１５へ進み、第２ポンプ１２の回転数を低回転にする。
【０２４７】
これにより、第２ポンプ１２から吐出される冷却水の流量が低流量になるので、冷却水加熱用熱交換器１５を流れる冷却水の流量も低流量になる。その結果、冷却水加熱用熱交換器１５における冷却水と冷媒との熱交換が抑制されるので、冷却水加熱用熱交換器１５における冷媒圧力を速やかに上昇させることができる。
【０２４８】
ステップＳ１００において第２冷却水回路Ｃ２の冷却水の温度Ｔｗ２が所定値αを下回っていないと判定した場合、ステップＳ１２５へ進み、第２ポンプ１２の回転数を高回転にする。
【０２４９】
これにより、第２ポンプ１２から吐出される冷却水の流量が高流量になるので、冷却水加熱用熱交換器１５を流れる冷却水の流量も高流量になる。そのため、冷却水加熱用熱交換器１５における冷却水と冷媒との熱交換が促進される。
【０２５０】
本実施形態では、制御装置４０は、冷却水の温度Ｔｗ２が所定値α未満であると判断される場合、冷却水の温度Ｔｗ２が所定値α以上であると判断される場合と比較して、冷却水加熱用熱交換器１５を流れる冷却水の流量を減少させる。
【０２５１】
これによると、冷却水の温度Ｔｗ２が所定値α未満であると判断される場合、第２ポンプ１２から吐出される冷却水の流量を低流量にするので、冷却水加熱用熱交換器１５における冷却水と冷媒との熱交換が抑制される。そのため、冷却水加熱用熱交換器１５における冷媒圧力を速やかに上昇させることができるので、速やかに十分な性能を発揮させることができる。
【０２５２】
（第６実施形態）
上記第１実施形態では、第２冷却水回路Ｃ２の冷却水の温度Ｔｗ２が所定温度α未満であると判断される場合、ヒータコア１６を流れる送風空気の流量を減少させるが、本実施形態ではさらに、図１８に示すように、第２冷却水回路Ｃ２の冷却水の温度Ｔｗ２が所定温度α未満であると判断される場合、ヒータコア１６を流れる冷却水の流量を冷却水加熱用熱交換器１５を流れる冷却水の流量よりも少なくさせる。
【０２５３】
具体的には、ステップＳ１００において第２冷却水回路Ｃ２の冷却水の温度Ｔｗ２が所定値αを下回っていると判定した場合、ステップＳ１１８へ進み、流量調整弁２７でバイパス流路２６を開く。
【０２５４】
これにより、バイパス流路２６に冷却水が流れるので、ヒータコア１６を流れる冷却水の流量が冷却水加熱用熱交換器１５を流れる冷却水の流量よりも少なくなる。そのため、ヒータコア１６における冷却水と送風空気との熱交換が抑制されるので、圧縮機２１から吐出された冷媒の熱を利用して第２冷却水回路Ｃ２の冷却水の蓄熱量を増加させることができる。
【０２５５】
ステップＳ１００において第２冷却水回路Ｃ２の冷却水の温度Ｔｗ２が所定値αを下回っていないと判定した場合、ステップＳ１２８へ進み、流量調整弁２７でバイパス流路２６を閉じる。
【０２５６】
これにより、ヒータコア１６における冷却水と送風空気との熱交換が促進されるので、車室内への送風空気が加熱されて暖房が行われる。
【０２５７】
本実施形態では、制御装置４０は、冷却水の温度Ｔｗ２が所定値α未満であると判断される場合、ヒータコア１６を流れる冷却水の流量を、冷却水加熱用熱交換器１５を流れる冷却水の流量よりも少なくさせる。
【０２５８】
これにより、ヒータコア１６における冷却水と送風空気との熱交換が抑制されるので、圧縮機２１から吐出された冷媒の熱を利用して第２冷却水回路Ｃ２の冷却水の蓄熱量を増加させることができる。
【０２５９】
（第７実施形態）
本実施形態では、図１９に示すように、圧縮機２１から吐出された冷媒の温度ＴＲ１が第２所定値β以上であると判断される場合、圧縮機２１から吐出された冷媒の温度ＴＲ１が第２所定値β未満であると判断される場合と比較して、冷却水加熱用熱交換器１５を流れる冷却水の流量を多くさせる。
【０２６０】
具体的には、ステップＳ１１０、Ｓ１２０に続くステップＳ１３０では、圧縮機２１から吐出された冷媒の温度ＴＲ１が第２所定値βを下回っているか否かを判定する。第２所定値βは、予め制御装置４０に記憶されている固定値である。
【０２６１】
圧縮機２１から吐出された冷媒の温度ＴＲ１は、吐出側冷媒温度センサによって検出される。制御装置４０は、圧縮機２１から吐出された冷媒の温度ＴＲ１を、冷却水の温度Ｔｗ２や圧縮機２１から吐出された冷媒の圧力等に基づいて算出してもよい。
【０２６２】
ステップＳ１３０において圧縮機２１から吐出された冷媒の温度ＴＲ１が第２所定値βを下回っていると判定した場合、ステップＳ１４０へ進み、第２ポンプ１２の回転数を低回転にする。
【０２６３】
これにより、第２ポンプ１２から吐出される冷却水の流量が低流量になるので、冷却水加熱用熱交換器１５を流れる冷却水の流量も低流量になる。その結果、冷却水加熱用熱交換器１５における冷却水と冷媒との熱交換が抑制されるので、冷却水加熱用熱交換器１５における冷媒圧力を速やかに上昇させることができる。
【０２６４】
ステップＳ１３０において圧縮機２１から吐出された冷媒の温度ＴＲ１が第２所定値βを下回っていないと判定した場合、ステップＳ１５０へ進み、第２ポンプ１２の回転数を高回転にする。
【０２６５】
これにより、第２ポンプ１２から吐出される冷却水の流量が高流量になるので、冷却水加熱用熱交換器１５を流れる冷却水の流量も高流量になる。そのため、冷却水加熱用熱交換器１５において冷媒から冷却水に与えられる熱量が一定なら、冷却水加熱用熱交換器１５における冷却水の温度上昇が抑制される。これは、次の関係式から明らかである。
【０２６６】
(数１）
Ｑ＝Ｃｐ・Ｇｗ・（Ｔｏｕｔ−Ｔｉｎ）
この数式において、Ｑは、冷却水加熱用熱交換器１５において冷媒から冷却水に与えられる熱量である。Ｃｐは、冷却水の比熱である。Ｇｗは、冷却水加熱用熱交換器１５を流れる冷却水の流量である。Ｔｏｕｔは、冷却水加熱用熱交換器１５の冷却水出口における冷却水の温度である。Ｔｉｎは、冷却水加熱用熱交換器１５の冷却水入口における冷却水の温度である。
【０２６７】
このように冷却水加熱用熱交換器１５における冷却水の温度上昇が抑制されるので、圧縮機２１から吐出された冷媒の温度ＴＲ１の上昇を抑制できる。
【０２６８】
本実施形態では、制御装置４０は、圧縮機２１から吐出された冷媒の温度ＴＲ１が第２所定値β以上であると判断される場合、圧縮機２１から吐出された冷媒の温度ＴＲ１が第２所定値β未満であると判断される場合と比較して、冷却水加熱用熱交換器１５を流れる冷却水の流量を多くさせる。
【０２６９】
これによると、冷却水加熱用熱交換器１５における冷却水の温度が低下するので、圧縮機２１から吐出された冷媒の温度ＴＲ１の上昇を抑制できる。そのため、圧縮機２１から吐出された冷媒の温度が過度に上昇して圧縮機２１の効率が低下することを抑制できるので、冷凍サイクル２０の効率を向上でき、ひいては暖房効率を向上できる。
【０２７０】
（他の実施形態）
上記実施形態を適宜組み合わせ可能である。上記実施形態を例えば以下のように種々変形可能である。
【０２７１】
（１）上記実施形態において、ヒータコア１６の代わりに、冷却水が顕熱変化にて吸熱する種々の冷却水流通機器（熱媒体流通機器）が設けられていてもよい。例えば、電池を冷却する電池冷却器が設けられていてもよい。
【０２７２】
（２）上記実施形態において、冷却水加熱用熱交換器１５の代わりに、冷凍サイクル２０の高圧側冷媒と外気とを熱交換させることによって高圧側冷媒の熱を外気に放熱する冷媒用放熱器が設けられていてもよい。
【０２７３】
（３）上記第１実施形態において、第１冷却水回路Ｃ１および第２冷却水回路Ｃ２に、冷却水によって温度調整（冷却・加熱）される種々の温度調整対象機器（冷却対象機器・加熱対象機器）が配置されていてもよい。
【０２７４】
さらに、第１冷却水回路Ｃ１および第２冷却水回路Ｃ２が切替弁を介して接続され、切替弁が、第１冷却水回路Ｃ１および第２冷却水回路Ｃ２に配置された複数個の熱媒体流通機器のそれぞれに対して、第１ポンプ１１によって吸入・吐出される冷却水が循環する場合と、第２ポンプ１２によって吸入・吐出される冷却水が循環する場合とを切り替えるようにしてもよい。
【０２７５】
（４）上記実施形態では、ヒータコア１６を流れる熱媒体として冷却水を用いているが、油などの各種媒体を熱媒体として用いてもよい。熱媒体として、エチレングリコール系の不凍液、水、または一定の温度以上に維持された空気等を用いてもよい。
【０２７６】
熱媒体として、ナノ流体を用いてもよい。ナノ流体とは、粒子径がナノメートルオーダーのナノ粒子が混入された流体のことである。ナノ粒子を熱媒体に混入させることで、エチレングリコールを用いた冷却水（いわゆる不凍液）のように凝固点を低下させる作用効果に加えて、次のような作用効果を得ることができる。
【０２７７】
すなわち、特定の温度帯での熱伝導率を向上させる作用効果、熱媒体の熱容量を増加させる作用効果、金属配管の防食効果やゴム配管の劣化を防止する作用効果、および極低温での熱媒体の流動性を高める作用効果を得ることができる。
【０２７８】
このような作用効果は、ナノ粒子の粒子構成、粒子形状、配合比率、付加物質によって様々に変化する。
【０２７９】
これによると、熱伝導率を向上させることができるので、エチレングリコールを用いた冷却水と比較して少ない量の熱媒体であっても同等の冷却効率を得ることが可能になる。
【０２８０】
また、熱媒体の熱容量を増加させることができるので、熱媒体自体の蓄冷熱量（顕熱による蓄冷熱）を増加させることができる。
【０２８１】
蓄冷熱量を増加させることにより、圧縮機２１を作動させない状態であっても、ある程度の時間は蓄冷熱を利用した機器の冷却、加熱の温調が実施できるため、車両用熱管理装置１０の省動力化が可能になる。
【０２８２】
ナノ粒子のアスペクト比は５０以上であるのが好ましい。十分な熱伝導率を得ることができるからである。なお、アスペクト比は、ナノ粒子の縦×横の比率を表す形状指標である。
【０２８３】
ナノ粒子としては、Ａｕ、Ａｇ、ＣｕおよびＣのいずれかを含むものを用いることができる。具体的には、ナノ粒子の構成原子として、Ａｕナノ粒子、Ａｇナノワイヤー、ＣＮＴ（カーボンナノチューブ）、グラフェン、グラファイトコアシェル型ナノ粒子（上記原子を囲むようにカーボンナノチューブ等の構造体があるような粒子体）、およびＡｕナノ粒子含有ＣＮＴなどを用いることができる。
【０２８４】
（５）上記実施形態では、冷凍サイクル２０の蒸発器１４で低圧側冷媒と第１冷却水回路Ｃ１の冷却水とを熱交換させるようになっているが、冷凍サイクル２０の蒸発器１４で低圧側冷媒と外気とを熱交換させるようにしてもよい。
【０２８５】
（６）上記実施形態の冷凍サイクル２０では、冷媒としてフロン系冷媒を用いているが、冷媒の種類はこれに限定されるものではなく、二酸化炭素等の自然冷媒や炭化水素系冷媒等を用いてもよい。
【０２８６】
また、上記実施形態の冷凍サイクル２０は、高圧側冷媒圧力が冷媒の臨界圧力を超えない亜臨界冷凍サイクルを構成しているが、高圧側冷媒圧力が冷媒の臨界圧力を超える超臨界冷凍サイクルを構成していてもよい。
【０２８７】
（７）上記実施形態では、車両用熱管理装置１０をハイブリッド自動車に適用した例を示したが、エンジンを備えず走行用電動モータから車両走行用の駆動力を得る電気自動車等に車両用熱管理装置１０を適用してもよい。
【０２８８】
（８）上記第２実施形態では、発熱機器としてインバータ５２を備えているが、インバータ５２の他に種々の発熱機器を備えていてもよい。発熱機器の他の例としては、走行用電動モータや各種エンジン機器などが挙げられる。
【０２８９】
各種エンジン機器としては、ターボチャージャ、インタークーラ、ＥＧＲクーラ、ＣＶＴクーラ（ウォーマ）、排気熱回収器などが挙げられる。
【０２９０】
ターボチャージャは、エンジンの吸入空気（吸気）を過給する過給機である。インタークーラは、ターボチャージャで圧縮されて高温になった過給吸気と冷却水とを熱交換して過給吸気を冷却する吸気冷却器（吸気熱媒体熱交換器）である。
【０２９１】
ＥＧＲクーラは、エンジンの吸気側に戻されるエンジン排気ガス（排気）と冷却水とを熱交換して排気を冷却する排気冷却水熱交換器（排気熱媒体熱交換器）である。
【０２９２】
ＣＶＴクーラ（ウォーマ）は、ＣＶＴ（無段変速機）を潤滑する潤滑油（ＣＶＴオイル）と冷却水とを熱交換してＣＶＴオイルを冷却（加熱）する潤滑油冷却水熱交換器（潤滑油熱媒体熱交換器）である。
【０２９３】
排気熱回収器は、排気と冷却水とを熱交換して冷却水に排気の熱を吸熱させる排気冷却水熱交換器（排気熱媒体熱交換器）である。
【０２９４】
（９）上記第２実施形態のステップＳ１２１〜Ｓ１２３では、インバータ５２の発熱量Ｑｅが所定量以上でないと判定した場合、ヒータコアバイパスウォームアップ暖房モードを実施し、インバータ５２の発熱量Ｑｅが所定量以上であると判定した場合、廃熱利用ウォームアップ暖房モードを実施するが、以下の数式の条件を満たす場合、廃熱利用ウォームアップ暖房モードを実施し、以下の数式の条件を満たさない場合、ヒータコアバイパスウォームアップ暖房モードを実施するようにしてもよい。
【０２９５】
（Ｈｍ／Ｑｅ）×ΔＴ≦ｔｂ
上記数式において、Ｈｍは、インバータ５２およびインバータ用流路６６の熱容量と、それらの中に含まれる冷却水の熱容量との和である。ΔＴは、第２冷却水回路の冷却水温度の目標温度から、現状の第２冷却水回路の冷却水温度Ｔｗ２を減じた温度差である。
【０２９６】
上記数式において、ｔｂは、ヒータコアバイパスウォームアップ暖房モードの冷却水回路構成において第２冷却水回路の冷却水温度が目標温度に到達するまでの時間である。ｔｂは、各温度条件に対して予め測定した値であり、制御装置４０に記憶されている。
【０２９７】
これにより、インバータ５２の発熱量Ｑｅに応じて、廃熱利用ウォームアップ暖房モードおよびヒータコアバイパスウォームアップ暖房モードのうち、第２冷却水回路の冷却水温度Ｔｗ２が目標温度に到達するまでの時間が短くなる方のモードを選択できる。
【０２９８】
（１０）上記第３実施形態では、補助ヒータコア１００はエンジン冷却回路７０に配置されているが、補助ヒータコア１００は、燃料電池を冷却するための冷却水循環回路に配置されていてもよい。これにより、燃料電池で加熱された冷却水（第２熱媒体）によって送風空気を加熱できる。
【０２９９】
補助ヒータコア１００は、インバータ５２を冷却するための冷却水循環回路に配置されていてもよい。これにより、インバータ５２で加熱された冷却水（第２熱媒体）によって送風空気を加熱できる。
【０３００】
補助ヒータコア１００には、電気ヒータで加熱された冷却水（第２熱媒体）が循環するようになっていてもよい。これにより、電気ヒータで加熱された冷却水によって送風空気を加熱できる。
【０３０１】
補助ヒータコア１００には、燃焼式ヒータで加熱された冷却水（第２熱媒体）が循環するようになっていてもよい。燃焼式ヒータは、ガソリンなどの液体燃料を燃焼させて得られる熱を冷却水へと伝熱することによって冷却水を加熱する冷却水加熱手段である。これにより、燃焼式ヒータで加熱された冷却水によって送風空気を加熱できる。
【符号の説明】
【０３０２】
１５    冷却水加熱用熱交換器（熱媒体加熱用熱交換器）
１６    ヒータコア（空気加熱用熱交換器）
２１    圧縮機
２５    室外送風機（送風機）
４０    制御装置（算出手段）
４０ｅ  送風機制御手段（空気流量制御手段）
【図１】
2015163499.tif 000003
【図２】
2015163499.tif 000004
【図３】
2015163499.tif 000005
【図４】
2015163499.tif 000006
【図５】
2015163499.tif 000007
【図６】
2015163499.tif 000008
【図７】
2015163499.tif 000009
【図８】
2015163499.tif 000010
【図９】
2015163499.tif 000011
【図１０】
2015163499.tif 000012
【図１１】
2015163499.tif 000013
【図１２】
2015163499.tif 000014
【図１３】
2015163499.tif 000015
【図１４】
2015163499.tif 000016
【図１５】
2015163499.tif 000017
【図１６】
2015163499.tif 000018
【図１７】
2015163499.tif 000019
【図１８】
2015163499.tif 000020
【図１９】
2015163499.tif 000021